(57)【要約】【課題】  天板に近接して内部に設けられた照明部により収納空間のほぼ全体が良好に照らされるとともに、扉の圧追感が軽減された吊戸棚。【解決手段】  天板（２）に近接して内部に設けられた照明部（３）を有する吊戸棚（１，１’）。少なくとも一部が透明または半透明な前面扉（６）と、ほぼ全体に亘って透明または半透明な棚板（８）とを備えている。好ましくは、少なくとも一部が透明または半透明な底板（７’）をさらに備え、天板のうちの少なくとも照明部に対応する領域（２ａ）は、透明または半透明に形成されている。【選択図】  図６
2006334042.tif 000002
【特許請求の範囲】
【請求項１】
天板に近接して内部に設けられた照明部を有する吊戸棚であって、
少なくとも一部が透明または半透明な前面扉と、
ほぼ全体に亘って透明または半透明な棚板とを備えていることを特徴とする吊戸棚。
【請求項２】
少なくとも一部が透明または半透明な底板をさらに備えていることを特徴とする請求項１に記載の吊戸棚。
【請求項３】
前記天板のうちの少なくとも前記照明部に対応する領域は、透明または半透明に形成されていることを特徴とする請求項１または２に記載の吊戸棚。
【請求項４】
請求項１乃至３のいずれか１項に記載の吊戸棚をワークトップ面の上方に備えていることを特徴とするキッチン。
【発明の詳細な説明】
【技術分野】
【０００１】
本発明は、吊戸棚およびキッチンに関し、特に天板に近接して内部に照明部を有する吊戸棚に関するものである。
【背景技術】
【０００２】
従来、たとえばキッチンの吊戸棚に設置される照明部は、吊戸棚の内部のみを照明するか、あるいはキッチンのワークトップ面のみを照明するように構成されている。ここで、吊戸棚の内部のみを照明する照明部は吊戸棚の内部において天板に近接して設けられ、ワークトップ面のみを照明する照明部は吊戸棚の外部において底板に近接して設けられる。
【０００３】
一方、圧迫感の軽減された扉を有するキッチン用の吊戸棚として、天板に近接して内部に設けられた照明部と、ほぼ全体に亘って透明または半透明に形成された扉とを備えたウォールキャビネットが提案されている（たとえば特許文献１を参照）。
【特許文献１】特開２００３−２６５２４８号公報
【発明の開示】
【発明が解決しようとする課題】
【０００４】
特許文献１に開示された従来のウォールキャビネットでは、図９に示すように、天板９１に近接して内部に設けられた照明部９２からの光により、天板９１と棚板９３との間の収納空間は良好に照明される。また、照明部９２からの光により、図示を省略した透明または半透明の扉が内側から照らされるため、扉の圧追感が軽減される。
【０００５】
しかしながら、照明部９２からの光は棚板９３により遮られ、棚板９３と底板９４との間の収納空間は充分に照明されない。換言すれば、従来のウォールキャビネットでは、照明部９２は、天板９１と棚板９３との間の収納空間に対する作業灯として良好に機能するが、棚板９３と底板９４との間の収納空間に対する作業灯として充分に機能しない。
【０００６】
本発明は、前述の課題に鑑みてなされたものであり、天板に近接して内部に設けられた照明部により収納空間のほぼ全体が良好に照らされるとともに、扉の圧追感が軽減された吊戸棚を提供することを目的とする。
【課題を解決するための手段】
【０００７】
前記課題を解決するために、本発明の第１形態では、天板に近接して内部に設けられた照明部を有する吊戸棚であって、
少なくとも一部が透明または半透明な前面扉と、
ほぼ全体に亘って透明または半透明な棚板とを備えていることを特徴とする吊戸棚を提供する。
【０００８】
第１形態の好ましい態様によれば、少なくとも一部が透明または半透明な底板をさらに備えている。また、前記天板のうちの少なくとも前記照明部に対応する領域は、透明または半透明に形成されていることが好ましい。
【０００９】
本発明の第２形態では、第１形態の吊戸棚をワークトップ面の上方に備えていることを特徴とするキッチンを提供する。
【発明の効果】
【００１０】
本発明の吊戸棚では、照明部が天板に近接して内部に設けられ、前面扉の少なくとも一部が透明または半透明に形成され、棚板がほぼ全体に亘って透明または半透明に形成されている。したがって、照明部からの直接光により天板と棚板との間の収納空間が良好に照明されるだけでなく、透明または半透明の棚板を透過した間接照明光により棚板と底板との間の収納空間も充分に照明される。
【００１１】
すなわち、照明部は、天板と棚板との間の収納空間および棚板と底板との間の収納空間に対する作業灯として良好に機能する。また、照明部からの光により、透明または半透明の前面扉が内側から照らされるため、扉の圧追感が軽減される。特に、前面扉を半透明に形成すると、照明部からの光により前面扉が内側からぼんやり照らされて、扉の圧追感がさらに軽減される。こうして、本発明の吊戸棚では、天板に近接して内部に設けられた照明部により収納空間のほぼ全体が良好に照らされるとともに、扉の圧追感が軽減される。
【００１２】
なお、本発明では、底板の少なくとも一部を透明または半透明に形成することにより、照明部からの光が棚板および底板を透過して、吊戸棚の下方領域を間接照明する。したがって、たとえばキッチンのワークトップ面（カウンタ、シンクなどを含む広い概念）の上方に本発明の吊戸棚を設置した場合、吊戸棚の内部に設けられた照明部からの間接光が手元照明となり、ワークトップ面での作業性が向上する。
【００１３】
また、本発明では、天板のうちの少なくとも照明部に対応する領域を透明または半透明に形成することにより、照明部からの光が天板を透過して間接照明光となり壁面を照らして、吊戸棚の上方および周辺の空間を、ひいては室内空間をより広く見せる効果が発揮される。
【発明を実施するための最良の形態】
【００１４】
本発明の実施形態を、添付図面に基づいて説明する。図１は、本発明の実施形態にかかる吊戸棚がキッチンのワークトップ面の上方に設置されている状態を示す斜視図である。図１に示すように、本実施形態では、キッチンのワークトップ面の上方に設置された吊戸棚に対して本発明を適用している。
【００１５】
本実施形態のキッチンは、床Ｆの上に載置されたベースキャビネットＢＣを備えている。ベースキャビネットＢＣの上部には、キッチンに向かって左側から加熱調理部（ガスコンロ、ＩＨコンロなど）１１と、一対のカウンタ１２ａおよび１２ｂとが設けられ、この一対のカウンタ１２ａと１２ｂとの間にはシンク１３が設けられている。また、シンク１３に隣接して、たとえば湯水混合型の水栓１４が設けられている。
【００１６】
また、加熱調理部１１の上方にはレンジフード１５が壁面Ｗに取り付けられ、このレンジフード１５とほぼ高さに整列するようにウォールキャビネットＷＣが壁面Ｗに取り付けられている。本実施形態では、ウォールキャビネットＷＣの一部、すなわちキッチンのカウンタ１２ｂおよびシンク１３（ワークトップ面）の上方に設けられた部分が、本発明の吊戸棚１として構成されている。
【００１７】
図２は、本実施形態にかかる吊戸棚の構成を概略的に示す斜視図である。図３は、本実施形態において前面扉が開いた状態の吊戸棚をある角度から見た斜視図である。図４は、本実施形態において前面扉が開いた状態の吊戸棚を図３とは異なる角度から見た斜視図である。図２〜図４を参照すると、本実施形態にかかる吊戸棚１は、天板２に近接して吊戸棚１の内部に設けられた照明部３を有する。照明部３は、一対の側板４ａと４ｂとの間に亘って延びるとともに背板５から前面扉６の近くまで延びるような形態を有する。
【００１８】
照明部３の内部には、光源として、例えば吊戸棚１のほぼ全幅に亘って細長く延びるような蛍光灯３ａが取り付けられている。また、天板２と底板７との間のほぼ中間的な高さ位置には、透明または半透明な材料（ガラス板など）により形成された棚板８が、一対の側板４ａ，４ｂからほぼ水平方向に突出した４つの支持部に載置された状態で着脱自在に設置されている。なお、天板２、一対の側板４ａ，４ｂ、背板５、および底板７は、通常の技術にしたがって不透明な材料（木製パネル、樹脂製パネルなど）により形成されている。
【００１９】
一方、前面扉６は、不透明な材料（木、樹脂など）により形成された矩形状の枠部材６ａと、枠部材６ａの内側に取り付けられた透明または半透明な基板（たとえばガラス板など）６ｂとにより構成されている。換言すれば、前面扉６は、ほぼ全体に亘って透明または半透明に構成されている。また、前面扉６は、図３および図４に示すように、枠部材６ａの上端の水平軸線を中心として回動自在に構成され、下方からアクセスし易い形態で開閉動作が行われる。
【００２０】
以上のように、本実施形態の吊戸棚１では、照明部３が天板２に近接して内部に設けられ、前面扉６および棚板８がほぼ全体に亘って透明または半透明に形成されている。したがって、図５に示すように、照明部３の蛍光灯３ａからの直接光により天板２と棚板８との間の収納空間が良好に照明されるだけでなく、透明または半透明の棚板８を透過した間接照明光により棚板８と底板７との間の収納空間も充分に照明される。
【００２１】
その結果、照明部３は、天板２と棚板８との間の収納空間および棚板８と底板７との間の収納空間に対する作業灯として良好に機能する。また、照明部３の蛍光灯３ａからの光により、透明または半透明の前面扉６の基板６ｂが内側から照らされるため、扉６の圧追感が軽減される。特に、本実施形態では、前面扉６の基板６ｂを半透明に形成すると、照明部３の蛍光灯３ａからの光により前面扉６の基板６ｂが内側からぼんやり照らされて、扉６の圧追感がさらに軽減される。
【００２２】
図６は、本実施形態の変形例にかかる吊戸棚の構成を概略的に示す斜視図である。図７は、図６の変形例において前面扉が開いた状態の吊戸棚をある角度から見た斜視図である。図８は、図６の変形例にかかる吊戸棚の作用効果を説明する図である。図６の変形例にかかる吊戸棚１’は、図２の実施形態にかかる吊戸棚１と類似の構成を有するが、天板および底板の構成だけが図２の実施形態と相違している。
【００２３】
以下、図２の実施形態との相違点に着目して、図６の変形例の構成および作用効果を説明する。図６および図７を参照すると、変形例にかかる吊戸棚１’において、底板７’が透明または半透明な基板（たとえばガラス板など）により形成されている。また、天板２のうち、少なくとも照明部３（厳密には照明部３の光源（蛍光灯）３ａ）に対応する領域に、透明または半透明な基板（たとえばガラス板など）２ａが取り付けられている。
【００２４】
図６の変形例にかかる吊戸棚１’では、図２の実施形態の効果が得られるだけでなく、底板７’のほぼ全体が透明または半透明に形成されているので、図７に示すように、照明部３の蛍光灯３ａからの光が棚板８および底板７’を透過して、吊戸棚１’の下方領域、すなわちキッチンのワークトップ面（カウンタ１２ａ，１２ｂ、シンク１３などを含む広い概念）を間接照明する。こうして、吊戸棚１’の内部に設けられた照明部３の蛍光灯３ａからの間接光が手元照明となり、キッチンのワークトップ面での作業性が良くなる。
【００２５】
また、図６の変形例では、天板２のうち、照明部３の蛍光灯３ａに対応する領域に透明または半透明な基板２ａが取り付けられているので、図７に示すように、照明部３の蛍光灯３ａからの光が天板２の基板２ａを透過して間接照明光となり壁面Ｗを照らして、吊戸棚１’の上方および周辺の空間を、ひいてはキッチンの室内空間をより広く見せる効果が得られる。
【００２６】
なお、上述の実施形態および変形例では、前面扉６がほぼ全体に亘って透明または半透明に形成されている。しかしながら、これに限定されることなく、前面扉の少なくとも一部を透明または半透明に形成することにより、前面扉を内側から照らして扉の圧追感を軽減するという本発明の効果を得ることができる。
【００２７】
また、上述の変形例では、底板７’がほぼ全体に亘って透明または半透明に形成されている。しかしながら、これに限定されることなく、底板の少なくとも一部を透明または半透明に形成することにより、吊戸棚の下方領域を間接照明して例えばキッチンのワークトップ面での作業性を向上させるという本発明の効果を得ることができる。
【００２８】
また、上述の実施形態および変形例では、照明部３の光源として蛍光灯３ａを用いているが、これに限定されることなく、たとえばＬＥＤ（発光ダイオード）やハロゲンランプのような他の形態の光源を用いることもできる。
【００２９】
また、上述の実施形態および変形例では、枠部材６ａの上端の水平軸線を中心として回動（スィング）させることにより開閉動作を行うスィングフラップ式の前面扉６を採用しているが、これに限定されることなく、前面扉の開閉方式に関しては様々な変形例が可能である。一例として、たとえば前面扉をその姿勢のまま手前へ移動させた後に上方へ移動させて扉を開けるスィングアップ方式や、前面扉をその姿勢のまま水平に手前へ移動させた後に下方へ移動させて扉を開けるスィングダウン方式などを採用することもできる。
【００３０】
また、上述の実施形態および変形例では、キッチンのワークトップ面の上方に設置された吊戸棚に対して本発明を適用しているが、これに限定されることなく、一般的な吊戸棚に対しても同様に本発明を適用することができる。
【図面の簡単な説明】
【００３１】
【図１】本発明の実施形態にかかる吊戸棚がキッチンのワークトップ面の上方に設置されている状態を示す斜視図である。
【図２】本実施形態にかかる吊戸棚の構成を概略的に示す斜視図である。
【図３】本実施形態において前面扉が開いた状態の吊戸棚をある角度から見た斜視図である。
【図４】本実施形態において前面扉が開いた状態の吊戸棚を図３とは異なる角度から見た斜視図である。
【図５】本実施形態にかかる吊戸棚の作用効果を説明する図である。
【図６】本実施形態の変形例にかかる吊戸棚の構成を概略的に示す斜視図である。
【図７】図６の変形例において前面扉が開いた状態の吊戸棚をある角度から見た斜視図である。
【図８】図６の変形例にかかる吊戸棚の作用効果を説明する図である。
【図９】従来のウォールキャビネットの不都合を説明する図である。
【符号の説明】
【００３２】
１  吊戸棚
２  天板
３  照明部
４ａ，４ｂ  側板
５  背板
６  前面扉
６ａ  枠部材
６ｂ  透明または半透明な基板
７，７’  底板
８  棚板
ＢＣ  ベースキャビネット
ＷＣ  ウォールキャビネット
１１  加熱調理部
１２  カウンタ
１３  シンク
１４  水栓
１５  レンジフード
【図１】
2006334042.tif 000003
【図２】
2006334042.tif 000004
【図３】
2006334042.tif 000005
【図４】
2006334042.tif 000006
【図５】
2006334042.tif 000007
【図６】
2006334042.tif 000008
【図７】
2006334042.tif 000009
【図８】
2006334042.tif 000010
【図９】
2006334042.tif 000011